【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
課金対象エリアの料金所に設置されている料金収受装置の上位装置であるセンタ機と、車両に設けられ、前記センタ機と情報を授受する車載器とを備える料金収受システムであって、
前記車載器は、
前記課金対象エリア外に新たに設定された拡張課金対象エリアの地図情報を記憶する記憶手段と、
前記車両の位置情報を取得する位置情報取得手段と、
前記地図情報と前記位置情報とに基づいて、前記拡張課金対象エリアから前記課金対象エリアに進入した前記車両の進入の情報、および／または前記課金対象エリアから前記拡張課金対象エリアに退出した前記車両の退出の情報である入退出情報を検出するとともに、前記入退出情報を前記センタ機に出力させる制御手段と、
前記センタ機と前記入退出情報を授受する第１広域通信機と、を具備し、
前記センタ機は、
前記車載器と前記入退出情報を授受する第２広域通信機と、
前記料金収受装置から取得した前記車載器の識別情報及び前記車両の前記入退出の情報と、前記第１広域通信機および前記第２広域通信機を介して前記車載器から取得した前記入退出情報とを比較し、比較の結果、一致していない場合には、前記入退出情報に不正が含まれると判定する不正判定手段と
を具備する料金収受システム。
【請求項２】
前記センタ機は、取得した前記入退出情報に基づいて課金額を算出する算出手段を具備する請求項１に記載の料金収受システム。
【請求項３】
前記車載器は、前記入退出情報が検出された場合に、該検出結果に基づいて課金額を算出する算出手段を具備する請求項１に記載の料金収受システム。
【請求項４】
前記車載器は、前記課金額の情報を取得した場合に、該課金額の情報に応じた課金額を利用者に請求する請求手段を具備する請求項１から請求項３のいずれかに記載の料金収受システム。
【請求項５】
前記センタ機は、前記課金額の情報を取得した場合に、該課金額の情報に応じた課金額を利用者に請求する請求手段を具備する請求項１から請求項３のいずれかに記載の料金収受システム。
【請求項６】
前記算出手段は、
前記課金対象エリア外に新たに設定された拡張課金対象エリアに関する第１課金情報と、前記課金対象エリアに関する第２課金情報とを記憶する記憶装置と、
前記入退出情報および前記第１課金情報並びに前記第２課金情報に基づいて、前記課金額を決定する金額決定手段とを具備する請求項１から請求項５のいずれかに記載の料金収受システム。
【請求項７】
前記第１課金情報は、前記拡張課金対象エリアにおける滞在時間をパラメータとした課金テーブルを含み、
前記金額決定手段は、前記拡張課金対象エリアにおける滞在時間を前記車載器から受信した場合に、前記滞在時間と前記課金テーブルとを用いて前記拡張課金対象エリアにおける前記課金額を決定する請求項６に記載の料金収受システム。
【請求項８】
前記第１課金情報は、前記拡張課金対象エリアにおける走行距離をパラメータとした課金テーブルを含み、
前記金額決定手段は、前記拡張課金対象エリアにおける走行距離を前記車載器から受信した場合に、前記走行距離と前記課金テーブルとを用いて前記拡張課金対象エリアにおける前記課金額を決定する請求項６に記載の料金収受システム。
【請求項９】
複数の前記拡張課金対象エリアが設けられている場合に、前記拡張課金対象エリアの各々に対応して前記第１課金情報を有し、
前記入退出情報は、各前記拡張課金対象エリアの識別情報と対応付けられており、
前記金額決定手段は、前記拡張課金対象エリアの識別情報と対応付けられた前記入退出情報に基づいて決定される前記車両が進入した前記拡張課金対象エリアの前記第１課金情報を用いて、前記課金額を決定する請求項６から請求項８のいずれかに記載の料金収受システム。
【請求項１０】
前記課金対象エリアが、道路の利用状況にかかわらず進入時に一定の料金が徴収されるエリアである場合において、
前記課金対象エリアにおける滞在時間をパラメータとした還元ポイントテーブルを有し、
前記金額決定手段は、前記課金対象エリアにおける滞在時間を前記車載器から受信した場合に、前記滞在時間と前記還元ポイントテーブルとを用いて還元ポイントを決定し、この還元ポイントを前記車両の所有者に対して付与する請求項６から請求項９のいずれかに記載の料金収受システム。
【手続補正２】
【補正対象書類名】明細書
【補正対象項目名】０００７
【補正方法】変更
【補正の内容】
【０００７】
上記課題を解決するために、本発明は以下の手段を採用する。
本発明は、課金対象エリアの料金所に設置されている料金収受装置の上位装置であるセンタ機と、車両に設けられ、前記センタ機と情報を授受する車載器とを備える料金収受システムであって、前記車載器は、前記課金対象エリア外に新たに設定された拡張課金対象エリアの地図情報を記憶する記憶手段と、前記車両の位置情報を取得する位置情報取得手段と、前記地図情報と前記位置情報とに基づいて、前記拡張課金対象エリアから前記課金対象エリアに進入した前記車両の進入の情報、および／または前記課金対象エリアから前記拡張課金対象エリアに退出した前記車両の退出の情報である入退出情報を検出するとともに、前記入退出情報を前記センタ機に出力させる制御手段と、前記センタ機と前記入退出情報を授受する第１広域通信機と、を具備し、前記センタ機は、前記車載器と前記入退出情報を授受する第２広域通信機と、前記料金収受装置から取得した前記車載器の識別情報及び前記車両の前記入退出の情報と、前記第１広域通信機および前記第２広域通信機を介して前記車載器から取得した前記入退出情報とを比較し、比較の結果、一致していない場合には、前記入退出情報に不正が含まれると判定する不正判定手段とを具備する料金収受システムを提供する。
【手続補正３】
【補正対象書類名】明細書
【補正対象項目名】０００８
【補正方法】変更
【補正の内容】
【０００８】
このような構成によれば、車両に設けられ、課金対象エリアの料金所に設置されている
料金収受装置と情報を授受する車載器において、課金対象エリア外に新たに設定された拡
張課金対象エリアの地図情報と、取得した位置情報とに基づいて、拡張課金対象エリアか
ら課金対象エリアへの進入および／または課金対象エリアから拡張課金対象エリアへの退
出の情報である入退出情報が検出され、センタ機に出力される。
【手続補正４】
【補正対象書類名】明細書
【補正対象項目名】００１０
【補正方法】変更
【補正の内容】
【００１０】
また、車載器で検出された入退出情報をセンタ機に出力する場合や、センタ機で算出された課金額の情報を車載器に出力する場合等の車載器とセンタ機との情報の授受は、料金収受装置を介してもよいし、車載器とセンタ機とにおいて直接情報を授受する装置（例えば、広域通信機）を介してもよく、車載器とセンタ機間における情報の授受の経路は問わない。
また、料金収受装置側から取得した課金エリアの入退出情報と、広域通信機側から取得した課金エリアの入退出情報とを比較することにより、例えば、入退出情報の改ざん等が行われている場合には、改ざん等の不正を簡便に検出することができる。
上記料金収受システムの前記センタ機は、取得した前記入退出情報に基づいて課金額を算出する算出手段を具備することとしてもよい。
これにより、センタ機において、取得した入退出情報に基づいて課金額が算出される。
【手続補正５】
【補正対象書類名】明細書
【補正対象項目名】００１１
【補正方法】変更
【補正の内容】
【００１１】
上記料金収受システムの前記車載器は、前記入退出情報が検出された場合に、該検出結果に基づいて課金額を算出する算出手段を具備することとしてもよい。
【手続補正６】
【補正対象書類名】明細書
【補正対象項目名】００１６
【補正方法】削除
【補正の内容】